(57)【要約】【課題】配管を流通する水を必要に応じて容易に外部に吐出できる水吐きユニット１を提供すること。【解決手段】１次側配管２と２次側配管３との間に設置される水吐きユニット１は、１次側配管２と２次側配管３とを連通させる主配管８と、主配管８から分岐する分岐配管９と、を有する。主配管８は、分岐配管９が分岐する分岐部分に配置された流路切換弁１１を備える。分岐配管９は、止水栓１９と、水吐き口（第３開口２１ｃ）と、当該分岐配管９を封鎖する水路封鎖部材と、を上流から下流に向かってこの順に備える。流路切換弁１１の操作によって水吐きユニット１の内部の流路を主配管８から分岐配管９に切り替えれば、１次側配管２から２次側配管３に流れる水を、水吐き口（第３開口２１ｃ）から外部に吐き出すことができる。【選択図】図１
2020109230.tif 000002
【特許請求の範囲】
【請求項１】
１次側配管と２次側配管との間に設置される水吐きユニットであって、
前記１次側配管と前記２次側配管とを連通させる主配管と、
前記主配管から分岐する分岐配管と、を有し、
前記主配管は、前記分岐配管が分岐する分岐部分に配置された流路切換弁を、備え、
前記分岐配管は、止水栓と、水吐き口と、当該分岐配管を封鎖する流路封鎖部材と、を上流から下流に向かってこの順に備えることを特徴とする水吐きユニット。
【請求項２】
前記分岐配管の下流端は、前記主配管における前記分岐部分よりも下流に接続されていることを特徴とする請求項１に記載の水吐きユニット。
【請求項３】
前記流路封鎖部材は、閉栓用ブッシングであることを特徴とする請求項２に記載の水吐きユニット。
【請求項４】
前記流路封鎖部材は、止水栓であることを特徴とする請求項２に記載の水吐きユニット。
【請求項５】
前記主配管は、前記分岐配管の下流端が接続された前記主配管の合流部分と前記流路切換弁との間に、仕切弁を備えることを特徴とする請求項２から４のうちのいずれか一項に記載の水吐きユニット。
【請求項６】
前記主配管は、前記分岐配管の下流端が接続された前記主配管の合流部分と前記流路切換弁との間に、逆止弁を備えることを特徴とする請求項２から５のうちのいずれか一項に記載の水吐きユニット。
【請求項７】
前記主配管は、前記逆止弁と前記流路切換弁との間に流量メータを備えることを特徴とする請求項６に記載の水吐きユニット。
【請求項８】
前記流路切換弁と、前記分岐配管の下流端が接続された前記主配管の合流部分と、を支持するベース部材を有することを特徴とする請求項２から７のうちのいずれか一項に記載の水吐きユニット。
【請求項９】
前記主配管を支持するベース部材を有し、
前記主配管の管軸方向と直交する２方向を上下方向および幅方向としたときに、
前記分岐配管は、前記主配管の前記幅方向の一方側に位置し、
前記ベース部材は、前記主配管の下方を前記管軸方向に延びる底部と、前記底部から上方に突出して前記流路切換弁および前記合流部分の前記幅方向の他方側に位置する壁部と、を有し、
前記底部は、前記主配管を下方から支持する支持部を備え、
前記壁部には、前記流路切換弁および前記合流部分が固定されていることを特徴とする請求項８に記載の水吐きユニット。
【請求項１０】
前記流路切換弁、前記分岐配管および前記ベース部材を収容するユニットボックスを有し、
前記ユニットボックスは、天井に設けられた開口部と、前記開口部を開閉する蓋と、を備え、
前記開口部は、上方から見た場合に、前記流路切換弁、前記止水栓、および前記水吐き口と重なることを特徴とする請求項８または９に記載の水吐きユニット。
【請求項１１】
前記分岐配管は、前記水吐き口に着脱可能に取り付けられて当該水吐き口を封鎖する止水用プラグを備えることを特徴とする請求項１から１０のうちのいずれか一項に記載の水吐きユニット。
【発明の詳細な説明】
【技術分野】
【０００１】
本発明は、配管を流通する水を外部に吐出可能な水吐きユニットに関する。
【背景技術】
【０００２】
地中に配設された水道管の途中に設置される水道メータユニットは特許文献１に記載されている。同文献の水道メータユニットは、水の流通方向の上流から下流に向かって、止水栓、水道メータ、および逆止弁をこの順に備える。また、水道メータユニットは、止水栓、水道メータおよび逆止弁を収容するメータボックスを備える。メータボックスの上端には蓋が設けられている。水道メータユニットは、メータボックスの蓋が地表に露出するように地中に埋設される。
【先行技術文献】
【特許文献】
【０００３】
【特許文献１】特開２０１７−１４１６２４号公報
【発明の概要】
【発明が解決しようとする課題】
【０００４】
災害時に、地中に配設された水道管を流通する水を利用できれば、被災者に水を供給することが容易となる。このような場合に、例えば、水道管の途中に設置された水道メータユニットのようなユニットから取水すれば、水道管に水吐き口を設けるなどの施工をすることなく、水を外部に供給できる。しかし、水道メータユニットから取水する場合には、止水栓から水道メータを取り外して、水吐管を接続しなければならない。従って、水道メータユニットからの取水は容易ではない。
【０００５】
本発明の課題は、このような点に鑑みて、配管を流通する水を必要に応じて容易に外部に吐出できる水吐きユニットを提供することにある。
【課題を解決するための手段】
【０００６】
上記課題を解決するために、本発明は、１次側配管と２次側配管との間に設置される水吐きユニットであって、前記１次側配管と前記２次側配管とを連通させる主配管と、前記主配管から分岐する分岐配管と、を有し、前記主配管は、前記分岐配管が分岐する分岐部分に配置された流路切換弁を、備え、前記分岐配管は、止水栓と、水吐き口と、当該分岐配管を封鎖する流路封鎖部材と、を上流から下流に向かってこの順に備えることを特徴とする。
【０００７】
本発明によれば、水吐きユニットの内部の流路として、主配管を選択している場合には、水は主配管を経由して１次側配管から２次側配管に流れる。一方、水吐きユニットの内部の流路として分岐配管を選択した場合には、水は分岐配管を流れて水吐き口に達する。従って、流路切換弁の操作によって水吐きユニットの内部の流路を切り替えれば、１次側配管から２次側配管に流れる水を、水吐き口から外部に吐き出すことができる。また、分岐配管は、水吐き口の上流に止水栓を備えるので、止水栓の開閉によって水吐き口からの水の吐出を継断できる。
【０００８】
本発明において、前記分岐配管の下流端は、前記主配管における前記分岐部分よりも下流に接続されているものとすることができる。このようにすれば、分岐配管は、上流端および下流端が主配管に接続される。従って、分岐配管の上流端のみが主配管に接続されており、分岐配管が主配管に片持ち状態で接続されている場合と比較して、分岐配管が安定
する。従って、分岐配管に外部から力が加わった場合でも、分岐配管と主配管との接続部分が破損することを防止できる。
【０００９】
本発明において、前記流路封鎖部材は、閉栓用ブッシングとすることができる。
【００１０】
本発明において、前記流路封鎖部材は、止水栓とすることができる。このようにすれば、止水栓を開くことにより、１次側配管から分岐配管に流入する水を、２次側配管へ流すことができる。
【００１１】
本発明において、前記主配管は、前記分岐配管の下流端が接続された前記主配管の合流部分と前記流路切換弁との間に、仕切弁を備えるものとすることができる。このようにすれば、１次側配管から主配管を介して２次側配管に流れる水の流量を調節できる。
【００１２】
本発明において、前記主配管は、前記分岐配管の下流端が接続された前記主配管の合流部分と前記流路切換弁との間に、逆止弁を備えることが望ましい。このようにすれば、１次側配管から主配管を介して２次側配管に流れる水の逆流を防止できる。
【００１３】
本発明において、前記主配管は、前記逆止弁と前記流路切換弁との間に流量メータを備えるものとすることができる。このようにすれば、１次側配管から主配管を介して２次側配管に流れる水の流量を測定できる。すなわち、メータユニットを、水吐きユニットとして用いることができる。従って、水道管を流れる水を、水道メータユニットから外部に供給できる。
【００１４】
本発明において、前記主配管を支持するベース部材を有し、前記主配管の管軸方向と直交する２方向を上下方向および幅方向としたときに、前記分岐配管は、前記主配管の前記幅方向の一方側に位置し、前記ベース部材は、前記主配管の下方を前記管軸方向に延びる底部と、前記底部から上方に突出して前記流路切換弁および前記合流部分の前記幅方向の他方側に位置する壁部と、を有し、前記底部は、主配管を下方から支持する支持部を備え、前記壁部には、前記流路切換弁および前記合流部分が固定されているものとすることができる。このようにすれば、ベース部材によって、主配管および分岐配管を、バランスよく支持できる。
【００１５】
本発明において、前記流路切換弁、前記分岐配管および前記ベース部材を収容するユニットボックスを有し、前記ユニットボックスは、天井に設けられた開口部と、前記開口部を開閉する蓋と、を備え、前記開口部は、上方から見た場合に、前記流路切換弁、前記止水栓、および前記水吐き口と重なるものとすることができる。このようにすれば、水吐きユニットが地中に埋設される際に、ユニットボックスによって、流路切換弁、止水栓、水吐き口を保護できる。また、ユニットボックスの蓋を地表に露出させた状態で水吐きユニットを地中に埋設すれば、蓋を開くことにより、地上から、開口部を介して、流路切換弁および止水栓を操作できる。従って、水吐きユニットが地中に埋設された場合でも、水吐き口から水を外部に供給できる。
【００１６】
本発明において、前記分岐配管は、前記水吐き口に着脱可能に取り付けられて当該水吐き口を封鎖する止水用プラグを備えるものとすることができる。このようにすれば、水吐き口から分岐配管に異物が入り込むことを防止できる。
【発明の効果】
【００１７】
本発明の水吐きユニットによれば、水道管などの配管を流通する水を必要に応じて容易に外部に吐出できる。
【図面の簡単な説明】
【００１８】
【図１】水吐きユニットを上方から見た場合の平面図である。
【図２】水吐きユニットを幅方向から見た場合の断面図である。
【図３】水吐きユニットを管軸方向から見た場合の断面図である。
【図４】変形例の水吐きユニットを上方から見た場合の平面図である。
【発明を実施するための形態】
【００１９】
以下に、図面を参照して、本発明の実施の形態である水吐きユニットを説明する。
【００２０】
（水吐きユニット）
図１は、水道管の途中に設置された水吐きユニットを上方から見た場合の平面図である。水吐きユニットを幅方向から見た場合の断面図である。図３は、図１の水吐きユニットを管軸方向から見た場合の断面図である。図１では、水吐きユニットのユニットボックスの蓋を取り外して示す。本例の水吐きユニット１は、配水管から家屋などの建造物に水道水を引き込む水道管の途中に設置される。図１に示すように、水吐きユニット１は、水道管を構成する１次側配管２と２次側配管３との間に設置される。１次側配管２と２次側配管３とは地中に埋設されている。１次側配管２と２次側配管３とは、直線状に配置されている。
【００２１】
水吐きユニット１は、ユニット本体５と、ユニット本体５を収容するユニットボックス６とを備える。ユニット本体５は、１次側配管２および２次側配管３と同軸に延びて１次側配管２および２次側配管３を接続する主配管８と、主配管８から分岐する分岐配管９と、を有する。以下の説明では、主配管８の管軸Ｌに沿った方向を管軸方向Ｘとし、管軸Ｌと直交する２方向を幅方向Ｙおよび上下方向Ｚとする。上下方向Ｚは、水吐きユニット１の設置した場合の設置姿勢における上下である。分岐配管９は、主配管８に対して、幅方向Ｙの一方側Ｙ１に位置する。また、１次側配管２から２次側配管３に向かう方向は、水吐きユニット１における水の流通方向Ｓである。
【００２２】
主配管８は、分岐配管９が分岐する分岐部分に配置された流路切換弁１１を備える。また、主配管８は、流路切換弁１１の下流に仕切弁１２を備える。流路切換弁１１と仕切弁１２との間には、直線状に延びる管部材１３と、逆止弁１４とが、上流から下流に向かってこの順に配置されている。主配管８における仕切弁１２の下流には分岐配管９の下流端が接続されている。すなわち、主配管８における分岐配管９の合流部分には主配管側チーズ１５が配置されている。主配管側チーズ１５は、第１開口１５ａ、第１開口１５ａと同軸の第２開口１５ｂ、第１開口１５ａおよび第２開口１５ｂの軸線と直交する側方を向く第３開口１５ｃを備える。主配管側チーズ１５の第１開口１５ａは仕切弁１２に接続されている。主配管側チーズ１５の第２開口１５ｂは２次側配管３に接続される。主配管側チーズ１５の第３開口１５ｃには、分岐配管９の下流端が接続される。従って、主配管８は、分岐配管９の分岐部分と合流部分との間に管部材１３、逆止弁１４、および仕切弁１２を備える。
【００２３】
分岐配管９は上流から下流に向かって、第１エルボ１８、止水栓１９、管継手２０、分岐配管側チーズ２１、閉栓用ブッシング２２（流路封鎖部材）、および第２エルボ２３を、この順に備える。第１エルボ１８は、流路切換弁１１に接続されている。第２エルボ２３は、主配管側チーズ１５の第３開口１５ｃに接続されている。止水栓１９は、ボール止水栓である。
【００２４】
分岐配管側チーズ２１は、第１開口２１ａ、第１開口２１ａと同軸の第２開口２１ｂ、第１開口２１ａおよび第２開口２１ｂの軸線と直交する上方を向く第３開口２１ｃを備える。分岐配管側チーズ２１の第１開口２１ａは管継手２０を介して止水栓１９に接続され
ている。分岐配管側チーズ２１の第２開口２１ｂには閉栓用ブッシング２２が接続されている。従って、分岐配管９は、上流端および下流端が主配管８に接続されているが、分岐配管側チーズ２１の下流端で封鎖されている。分岐配管側チーズ２１の第３開口２１ｃには、止水用プラグ２５が着脱可能に接続されている。分岐配管側チーズ２１の第３開口２１ｃは、分岐配管９に流入する水を、分岐配管９から外部に吐き出す水吐き口である。
【００２５】
ここで、図２、図３に示すように、ユニット本体５は、主配管８を支持するベース部材３０を備える。ベース部材３０は、主配管８の下方を管軸方向Ｘに延びる底部３１と、主配管８の幅方向Ｙの他方側Ｙ２に位置する壁部３２と、を備える。
【００２６】
図２に示すように、底部３１は、１次側配管２の側の端部分に、上方に突出する第１支持部３３を備える。第１支持部３３には、流路切換弁１１が載せられている。流路切換弁１１は第１支持部３３に固定されている。また、底部３１は、２次側配管３の側の端部分に、上方に突出する第２支持部３４および第３支持部３５を備える。第２支持部３４は第３支持部３５の上流に位置する。第２支持部３４には、仕切弁１２が載せられている。仕切弁１２は第２支持部３４に固定されている。また、第３支持部３５には、主配管側チーズ１５（主配管８における分岐配管９の合流部分）が載せられている。主配管側チーズ１５は、第３支持部３５により下方から支持されている。
【００２７】
図１、図３に示すように、壁部３２には、流路切換弁１１、および主配管側チーズ１５が固定されている。より詳細には、流路切換弁１１には、幅方向Ｙの他方側Ｙ２に突出する突出部４１が設けられており、突出部４１の先端部分が壁部３２に固定されている。また、主配管側チーズ１５には、幅方向Ｙの他方側Ｙ２に突出する突部４２が設けられており、突部４２の先端部分が壁部３２に固定されている。
【００２８】
ユニットボックス６は、全体として、直方体形状をしている。ユニットボックス６は、流路切換弁１１、管部材１３、逆止弁１４、仕切弁１２、分岐配管９、およびベース部材３０を収容する。図２に示すように、ベース部材３０は、ユニットボックス６の底板４４に沿って延びる。
【００２９】
ユニットボックス６は、その天井に開口部４５を備える。開口部４５は、上方から見た場合に、流路切換弁１１、分岐配管９の止水栓１９、および分岐配管側チーズ２１（第３開口２１ｃ：水吐き口）と重なる。また、ユニットボックス６は、開口部４５を開閉する蓋４６を備える。
【００３０】
また、ユニットボックス６は、管軸方向Ｘの一方の端壁５０に円形の第１開口部５１を備える。第１開口部５１からは、主配管８の上流端部分が外側に突出する。主配管８の上端は１次側配管２に接続される。また、ユニットボックス６は、管軸方向Ｘの他方の端壁５２に円形の第２開口部５３を備える。第２開口部５３からは、主配管８の下流端部分（主配管側チーズ１５の下流端部分）が外側に突出する。主配管８の下流端は２次側配管３に接続される。ここで、水吐きユニット１は、ユニットボックス６の蓋４６が地表に露出するようにして地中に埋設される。
【００３１】
（水吐き動作）
水吐きユニット１が水道管の途中に設置された状態では、水吐きユニット１の内部の水路は、主配管８とされている。また、仕切弁１２は、所定の開状態とされている。従って、１次側配管２から水吐きユニット１に流入する水は、主配管８を経由して、２次側配管３に向かう。なお、分岐配管９の止水栓１９は閉状態とされている。止水用プラグ２５は、分岐配管側チーズ２１の第３開口２１ｃ（水吐き口）に取り付けられて当該第３開口２１ｃを封鎖している。
【００３２】
水吐きユニット１から水を吐き出す際には、ユニットボックス６の蓋４６を開き、流路切換弁１１を操作する。これにより、水吐きユニット１の内部の水路を、主配管８から分岐配管９に切り替える。また、止水用プラグ２５を第３開口２１ｃ（水吐き口）から取り外す。その後、止水栓１９を操作して閉状態とする。これにより、１次側配管２から水吐きユニット１に流入する水は、分岐配管９を流れて、閉栓用ブッシング２２で堰き止められる。従って、水は、第３開口２１ｃ（水吐き口）から外部に吐き出される。
【００３３】
また、流路切換弁１１の操作に前後して、仕切弁１２を操作して、仕切弁１２を閉状態とする。これにより、主配管８における分岐配管９の分岐部分（流路切換弁１１）と仕切弁１２との間は、水が流通しない状態となる。なお、主配管８は逆止弁１４を備えるので、水が２次側配管３の側から主配管８を逆流することがない。
【００３４】
ここで、水の吐き出しを中断する際には、止水栓１９を操作して、止水栓１９を閉状態とする。また、水の吐き出しを停止する際には、流路切換弁１１を操作して、水吐きユニット１の内部の水路を主配管８に切り替え、仕切弁１２を所定の開き状態とする。これにより、１次側配管２からの水は、主配管８を経由して、２次側配管３に流れる。ここで、水吐きユニット１は、逆止弁１４を備えるので、水が２次側配管３の側から逆流することがない。
【００３５】
（作用効果）
本例によれば、流路切換弁１１により、水吐きユニット１の内部の水路として主配管８を選択している場合には、水は主配管８を経由して１次側配管２から２次側配管３に流れる。一方、流路切換弁１１により、水吐きユニット１の内部の水路として分岐配管９を選択した場合には、水は分岐配管９を流れて第３開口２１ｃ（水吐き口）に達する。従って、流路切換弁１１の操作により水吐きユニット１内の水路を切り替えれば、１次側配管２から２次側配管３に流れる水を、第３開口２１ｃ（水吐き口）から外部に吐き出すことができる。従って、災害時には、水道管に水吐き口を設けるなどの施工をすることなく、水吐きユニット１から水を外部に吐き出して、被災者に供給できる。
【００３６】
また、水道管の途中に水吐きユニット１を設置すれば、水道管の１次側配管２内の異物を第３開口２１ｃ（水吐き口）から外部に排出することができる。
【００３７】
さらに、本例では、分岐配管９は、第３開口２１ｃ（水吐き口）の上流に止水栓１９を備える。従って、止水栓１９の開閉によって第３開口２１ｃ（水吐き口）からの水の吐き出しを継断できる。
【００３８】
また、本例では、分岐配管９の下流端は、主配管８における分岐部分よりも下流に接続されている。これにより、分岐配管９は、上流端および下流端が主配管８に接続される。従って、分岐配管９の上流端のみが主配管８に接続されており、分岐配管９が主配管８に片持ち状態で接続されている場合と比較して、分岐配管９が安定する。また、分岐配管９に外部から力が加わった場合でも、分岐配管９と主配管８との接続部分が破損することを防止できる。
【００３９】
さらに、主配管８は仕切弁１２を備える。従って、１次側配管２から主配管８を介して２次側配管３に流れる水の流量を調節できる。また、主配管８は、逆止弁１４を備える。従って、２次側配管３の側からの水の逆流を防止できる。
【００４０】
また、本例では、主配管８を下方から支持するベース部材３０が、主配管の幅方向Ｙの他方側Ｙ２に位置する壁部３２を備え、この壁部３２に流路切換弁１１と主配管側チーズ
１５（主配管８と分岐配管９との合流部分）が固定されている。従って、ベース部材３０により、主配管８および分岐配管９をバランスよく支持できる。
【００４１】
また、分岐配管９の第３開口２１ｃ（水吐き口）には、止水用プラグ２５が着脱可能に取り付けられている。よって、第３開口２１ｃ（水吐き口）から分岐配管９に異物が入り込むことを防止できる。
【００４２】
さらに、本例は、流路切換弁１１、分岐配管９およびベース部材３０を収容するユニットボックス６を有し、ユニットボックス６は、天井に設けられた開口部４５と、開口部４５を開閉する蓋４６と、を備える。そして、ユニットボックス６の開口部４５は、上方から見た場合に、流路切換弁１１、止水栓１９、および第３開口２１ｃ（水吐き口）と重なる。従って、水吐きユニット１が地中に埋設される際に、ユニットボックス６によって、流路切換弁１１、止水栓１９、第３開口２１ｃ（水吐き口）を保護できる。従って、水吐きユニット１が地中に埋設されている場合でも、蓋４６を開くことにより、地上から開口部４５を介して流路切換弁１１および止水栓１９を操作可能となる。従って、水吐きユニット１が地中に埋設された場合でも、第３開口２１ｃ（水吐き口）から水を吐出させることができる。
【００４３】
（変形例）
ここで、主配管８の逆止弁１４および仕切弁１２は、その一方、あるいは両方を省略することができる。
【００４４】
また、分岐配管９の閉栓用ブッシング２２をボール止水栓１９などの止水栓１９とすることができる。このようにすれば、止水栓１９を開くことにより、１次側配管２から分岐配管９に流入する水を、２次側配管３へ流すことができる。
【００４５】
なお、分岐配管９の第２エルボ２３は、省略してもよい。
【００４６】
（その他の実施の形態）
図４は、変形例の水吐きユニット１Ａの平面図である。図４では、ユニットボックス６の蓋４６を取り外して示す。なお、水吐きユニット１Ａは、主配管８の管部材１３の替わりに、水道メータ６０（流量メータ）を用いている。すなわち、水吐きユニット１Ａの主配管８は、逆止弁１４と流路切換弁１１との間に水道メータ６０を備える。なお、水吐きユニット１Ａは、水道メータ６０を除く他の構成は、水吐きユニット１と同一である。従って、その説明を省略する。
【００４７】
本例によれば、１次側配管２から主配管８を介して２次側配管３に流れる水の流量を測定できる。すなわち、水吐きユニット１Ａを、水道メータユニットとして用いることができる。従って、水道管を流れる水を、水道メータユニットから外部に供給できる。
【符号の説明】
【００４８】
１…水吐きユニット、２…１次側配管、３…２次側配管、５…ユニット本体、６…ユニットボックス、８…主配管、９…分岐配管、１１…流路切換弁、１２…仕切弁、１３…管部材、１４…逆止弁、１５…主配管側チーズ、１５ａ…第１開口、１５ｂ…第２開口、１５ｂ…第２開口、１５ｃ…第３開口、１８…第１エルボ、１９…止水栓、２０…管継手、２１…分岐配管側チーズ、２１ａ…第１開口、２１ｂ…第２開口、２１ｃ…第３開口、２２…閉栓用ブッシング、２３…第２エルボ、２５…止水用プラグ、３０…ベース部材、３１…底部、３２…壁部、３３…第１支持部、３４…第２支持部、３５…第３支持部、４１…突出部、４２…突部、４４…底板、４５…開口部、４６…蓋、５０…一方の端壁、５１…第１開口部、５２…他方の端壁、５３…第２開口部、６０…水道メータ、Ｘ…管軸方向、
Ｙ…幅方向、Ｚ…上下方向
【図１】
2020109230.tif 000003
【図２】
2020109230.tif 000004
【図３】
2020109230.tif 000005
【図４】
2020109230.tif 000006